(57)【要約】【課題】製造容易にインデックス部の耐久性を高めることのできる製本物及び製本物の製造方法を提供する。【解決手段】製本物としての手帳１は、印刷された用紙（刷本）を製本することにより形成される。また、この手帳１は、辺部にインデックス部１３が設けられたインデックス付きの頁１０Ｘを備える。そして、この手帳１は、そのインデックス部１３を保護するために当該インデックス部１３に形成された保護印刷層３１と、この保護印刷層３１をインデックス部１３に定着させるために保護印刷層３１の下層に形成された下地印刷層３２と、を備える。【選択図】図３
2019217715.tif 000002
【特許請求の範囲】
【請求項１】
印刷された用紙を製本してなる製本物であって、
辺部にインデックス部が設けられたインデックス付きの頁を備えるとともに、
前記インデックス部を保護するために該インデックス部に形成された保護印刷層と、
前記保護印刷層を前記インデックス部に定着させるために前記保護印刷層の下層に形成された下地印刷層と、を備える製本物。
【請求項２】
請求項１に記載の製本物において、
前記下地印刷層及び前記保護印刷層が、前記インデックス部の両面に形成されていること、を特徴とする製本物。
【請求項３】
請求項１又は請求項２に記載の製本物において、
前記下地印刷層が、前記インデックス部に印刷されたインデックス表示に重ねて形成されていること、を特徴とする製本物。
【請求項４】
請求項１〜請求項３の何れか一項に記載の製本物において、
前記保護印刷層には、耐水性、耐油性、及び耐蝕性を有したインキ材料が用いられていること、を特徴とする製本物。
【請求項５】
請求項４に記載の製本物において、
前記保護印刷層を形成する前記インキ材料が、シリコン成分を含有するメジウムであること、を特徴とする製本物。
【請求項６】
請求項１〜請求項５の何れか一項に記載の製本物において、
積層された複数の前記保護印刷層を備えること、を特徴とする製本物。
【請求項７】
請求項１〜請求項６の何れか一項に記載の製本物において、
厚み方向に重ねて配置される複数の前記インデックス部を備えるとともに、当該各インデックス部の全てに前記下地印刷層及び前記保護印刷層が形成されていること、
を特徴とする製本物。
【請求項８】
印刷された用紙を製本してなるとともに辺部にインデックス部が設けられたインデックス付きの頁を備える製本物の製造方法であって、
前記インデックス部を保護するための保護印刷層を、オフセット印刷により前記インデックス部に形成する工程と、
前記保護印刷層を形成する工程に先立ち、前記インデックス部に前記保護印刷層を定着させるための下地印刷層を、オフセット印刷により前記インデックス部に形成する工程と、を備える製本物の製造方法。
【請求項９】
請求項８に記載の製本物の製造方法において、
前記下地印刷層を形成する工程に先立ち、オフセット印刷により前記インデックス部にインデックス表示を印刷する工程を備えること、を特徴とする製本物の製造方法。
【請求項１０】
請求項８又は請求項９に記載の製本物の製造方法において、
前記保護印刷層を形成する工程は、複数回の前記オフセット印刷を重ねて行うものであること、を特徴とする製本物の製造方法。
【請求項１１】
請求項８〜請求項１０の何れか一項に記載の製本物の製造方法において、
前記保護印刷層を形成する工程が、高感度ＵＶ印刷機を用いて行われること、
を特徴とする製本物の製造方法。
【発明の詳細な説明】
【技術分野】
【０００１】
本発明は、製本物及び製本物の製造方法に関するものである。
【背景技術】
【０００２】
従来、印刷された用紙を製本してなる製本物には、例えば、手帳やダイアリー（日記帳）等、辺部（例えば、前小口となる部分）にインデックス部が設けられたインデックス付きの頁を備えるものがある。即ち、インデックス表示（例えば、文字や絵柄）に従いインデックス部を指で押さえることで所望の頁を開くことができる。そして、これにより、速やかに、その開いた頁を閲覧し、或いは、新たな書き込みを行うことができる。
【０００３】
しかしながら、このようなインデックス部もまた、その製本過程において、用紙を加工（切り抜き加工）することにより形成される。このため、利用期間が長くなるにつれて、そのインデックス部の汚れや痛みが進んでしまうという問題がある。
【０００４】
そこで、例えば、特許文献１には、そのインデックス部を保護膜でコーティングする方法が開示されている。そして、これにより、そのインデックス部の耐久性を高める構成になっている。
【先行技術文献】
【特許文献】
【０００５】
【特許文献１】特許第５４０９９５３号公報
【発明の概要】
【発明が解決しようとする課題】
【０００６】
しかしながら、手帳やダイアリーのように長期間（例えば、一年間）に亘って製本物を利用する場合には、そのインデックス部に形成した保護膜の安定性が課題となる。即ち、インデックス部の保護膜は、耐油性、耐水性、及び耐蝕性（脆化し難いこと）を有するものであることが望ましい。ところが、その保護機能を高めようとすることによって、保護膜がインデックス部に定着し難くなる。このため、上記従来技術の製本物においては、用紙に対する印刷工程に加え、別途、専用のコーティング機を用いて、そのインデックス部となる部分に保護膜の形成素材を塗布した上で、硬化・乾燥させる工程が付加されている。そして、これが、その製造工程が煩雑化する一因になるとともに、作業環境の改善を図る上での妨げにもなっていることから、この点において、なお改善の余地を残すものとなっていた。
【０００７】
本発明は、上記問題点を解決するためになされたものであって、その目的は、製造容易にインデックス部の耐久性を高めることのできる製本物及び製本物の製造方法を提供することにある。
【課題を解決するための手段】
【０００８】
上記課題を解決する製本物は、印刷された用紙を製本してなる製本物であって、辺部にインデックス部が設けられたインデックス付きの頁を備えるとともに、前記インデックス部を保護するために該インデックス部に形成された保護印刷層と、前記保護印刷層を前記インデックス部に定着させるために前記保護印刷層の下層に形成された下地印刷層と、を備える。
【０００９】
即ち、保護機能を有する保護印刷層をインデックス部に形成することで、このインデックス部の耐久性を高めることができる。また、この保護印刷層の下層に形成された下地印刷層が、その保護印刷層をインデックス部に定着させることで、製本物が利用される長期間に亘り、安定的に、その高い保護機能を維持することができる。更に、従来技術にみられるような専用の機械を用いたコーティング工程を廃して、製造工程の簡略化を図ることができる。その結果、生産効率を向上させることができる。加えて、作業環境の改善を図ることができる。そして、これにより、その製造を容易なものとすることができる。
【００１０】
上記課題を解決する製本物は、前記下地印刷層及び前記保護印刷層が、前記インデックス部の両面に形成されていることが好ましい。
上記構成によれば、より一層、そのインデックス部の保護機能を高めることができる。
【００１１】
上記課題を解決する製本物は、前記下地印刷層が、前記インデックス部に印刷されたインデックス表示に重ねて形成されていることが好ましい。
上記構成によれば、その下地印刷層をインデックス表示の保護膜として機能させることができる。
【００１２】
上記課題を解決する製本物は、前記保護印刷層には、耐水性、耐油性、及び耐蝕性を有したインキ材料が用いられていることが好ましい。
即ち、インデックス部の保護機能を担保するこれらの特性を強めることで、その保護印刷層がインデックス部に定着し難くなる。従って、このような特性を有するインキ材料により形成される保護印刷層の下層に下地印刷層を形成することで、より顕著な効果を得ることができる。
【００１３】
上記課題を解決する製本物は、前記保護印刷層を形成する前記インキ材料が、シリコン成分を含有するメジウムであることが好ましい。
上記構成によれば、その保護印刷層に、耐水性、耐油性、及び耐蝕性等、優れた保護機能を付与することができる。
【００１４】
上記課題を解決する製本物は、積層された複数の前記保護印刷層を備えることが好ましい。
上記構成によれば、より高い保護機能を確保することができる。加えて、例えば、滑り性や触感等、優れた官能特性を付与することができる。
【００１５】
上記課題を解決する製本物は、厚み方向に重ねて配置される複数の前記インデックス部を備えるとともに、当該各インデックス部の全てに前記下地印刷層及び前記保護印刷層が形成されていることが好ましい。
【００１６】
上記構成によれば、製本物全体として、そのインデックス部に高い耐久性を確保することができる。
上記課題を解決する製本物の製造方法は、印刷された用紙を製本してなるとともに辺部にインデックス部が設けられたインデックス付きの頁を備える製本物の製造方法であって、前記インデックス部を保護するための保護印刷層を、オフセット印刷により前記インデックス部に形成する工程と、前記保護印刷層を形成する工程に先立ち、前記インデックス部に前記保護印刷層を定着させるための下地印刷層を、オフセット印刷により前記インデックス部に形成する工程と、を備える。
【００１７】
上記構成によれば、製造容易に、高い耐久性を有したインデックス付きの頁を備える製本物を製造することができる。更に、印刷装置を変更することなく、連続的に、その下地印刷層及び保護印刷層の形成を行うことができる。そして、これにより、生産効率の向上を図ることができる。
【００１８】
上記課題を解決する製本物の製造方法は、前記下地印刷層を形成する工程に先立ち、オフセット印刷により前記インデックス部にインデックス表示を印刷する工程を備えることが好ましい。
【００１９】
上記構成によれば、印刷装置を変更することなく、連続的に、そのインデックス表示の印刷、下地印刷層及び保護印刷層の形成を行うことができる。そして、これにより、更なる生産効率の向上を図ることができる。
【００２０】
上記課題を解決する製本物の製造方法は、前記保護印刷層を形成する工程は、複数回の前記オフセット印刷を重ねて行うものであることが好ましい。
上記構成によれば、効率よく、積層された複数層の保護印刷層を形成することができる。
【００２１】
上記課題を解決する製本物の製造方法は、前記保護印刷層を形成する工程が、高感度ＵＶ印刷機を用いて行われることが好ましい。
上記構成によれば、大幅に生産効率を向上させることができる。更に、作業環境の改善を図ることができる。そして、これにより、より一層、その製造を容易なものとすることができるとともに、併せて、環境に優しい製品を世に送り出すことができる。
【発明の効果】
【００２２】
本発明によれば、耐久性に優れたインデックス部を容易に形成することができる。
【図面の簡単な説明】
【００２３】
【図１】製本物としての手帳、及びインデックス付きの頁として構成された書込み可能な見開き頁を示す図（月間予定頁）。
【図２】製本物としての手帳、及びインデックス付きの頁として構成された書込み可能な見開き頁を示す図（週間予定頁）。
【図３】インデックス部に形成された保護印刷層及び下地印刷層を模式的に示す断面図。
【図４】製本物の製造方法を示すフローチャート。
【図５】用紙に対するオフセット印刷の処理手順を模式的に示す説明図。
【図６】インデックス表示の印刷、並びに下地印刷層及び保護印刷層を形成する際の処理手順を示すフローチャート。
【発明を実施するための形態】
【００２４】
以下、製本物を手帳に具体化した一実施形態を図面に従って説明する。
図１及び図２に示すように、製本物としての手帳１は、その見開き頁１０の本文部分１１に、図示しないペンや鉛筆等の筆記具を用いて書き込みを行うことが可能となっている。また、本実施形態の手帳１において、この書き込み可能な見開き頁１０は、その辺部１２にインデックス部１３が設けられたインデックス付きの頁１０Ｘとなっている。そして、本実施形態の手帳１は、これにより、その所望の頁１０を開いて、速やかに記載内容を閲覧し、或いは新たな書き込みを行うことが可能となっている。
【００２５】
詳述すると、本実施形態の手帳１は、例えば、一ヶ月の予定を見開き頁１０（の本文部分１１）の全面に表示する月間予定頁２１（図１参照）や、一週間の予定を見開き頁１０の左側に表示するとともに右側がメモ欄となった週間予定頁２２（図２参照）等、を備えている。更に、本実施形態の手帳１においては、これらの月間予定頁２１及び週間予定頁２２を含む書込み可能な各見開き頁１０が、それぞれインデックス付きの頁１０Ｘとしての構成を有している。そして、本実施形態の手帳１は、これら各頁１０Ｘのインデックス部１３が、それぞれ、その対応する月毎に重ねて配置された構成になっている。
【００２６】
具体的には、本実施形態の手帳１は、その前小口となる部分、詳しくはインデックス付きの各頁１０Ｘ（２１，２２）が開かれた状態において、その右側の辺部１２ｒとなる位置にインデックス部１３を有している。また、本実施形態の手帳１において、これらの各インデックス部１３は、見開き頁１０（１０Ｘ）の右端に位置する辺部１２ｒの下側部分（地側部分）を切り欠くことにより、対応する月毎に異なる上下方向（天地方向）の長さを有するものとなっている。そして、本実施形態の手帳１は、これにより、その月毎に重ねられた各インデックス部１３が階段状に配置される構成になっている。
【００２７】
即ち、本実施形態の手帳１において、各月（１月〜１２月）のインデックス部１３は、それぞれ、当該インデックス部１３の下端（地側の端部）部分に、先月のインデックス部１３と重ならない非重複部分αを有している。更に、この非重複部分αには、その対応月を示すインデックス表示Ｉｄが印刷されている。そして、本実施形態の手帳１は、このインデックス表示Ｉｄに従って、その所望の頁１０（２１，２２）を探すことができる構成になっている。
【００２８】
尚、本実施形態の手帳１は、先頭月（本実施形態では「１月」）に対応するインデックス部１３のみ、その表側紙面１３ａの全体が非重複部分αとなっている。そして、これら各インデックス部１３の各非重複部分αには、それぞれ、対応月を示す数字（１〜１２）が、そのインデックス表示Ｉｄとして印刷されている。
【００２９】
また、図３に示すように、本実施形態の手帳１は、これらの各インデックス部１３を保護するために当該各インデックス部１３に形成された薄膜状の保護印刷層３１を備えている。具体的には、本実施形態の保護印刷層３１は、この保護印刷層３１に覆われた各インデックス部１３のインデックス表示Ｉｄを視認することが可能な高い透明度（透光性）を有している。更に、本実施形態の手帳１において、この保護印刷層３１は、耐油性、耐水性、及び耐蝕性を有するものとなっている。そして、本実施形態の手帳１は、これにより、その各インデックス部１３に対して長期間の使用に耐えうる耐久性を付与する構成になっている。
【００３０】
詳述すると、本実施形態の手帳１は、この保護印刷層３１を各インデックス部１３に定着させるために当該保護印刷層３１の下層に形成された薄膜状の下地印刷層３２を備えている。本実施形態の手帳１において、この下地印刷層３２は、各インデックス部１３に印刷されたインデックス表示Ｉｄに重ねるかたちで形成されている。そして、この下地印刷層３２もまた、保護印刷層３１と同様に高い透明度（透光性）を有している。
【００３１】
具体的には、本実施形態の下地印刷層３２は、メジウムをインキ材料に用いたオフセット印刷により形成されている。更に、本実施形態の手帳１においては、インデックス部１３の表側紙面１３ａにインデックス表示Ｉｄを表すインデックス表示印刷層３３もまた、オフセット印刷により形成されている。そして、本実施形態の保護印刷層３１は、その下地印刷層３２に重ねてオフセット印刷を行うことにより形成されている。
【００３２】
さらに詳述すると、本実施形態の保護印刷層３１は、シリコン成分を含有するメジウムをインキ材料に用いたオフセット印刷により形成されている。また、下地印刷層３２の形成に用いるメジウムは、製本物である手帳１の用紙及び保護印刷層３１を形成する上記特殊メジウムの双方に対して親和性の高い性質を有している。そして、本実施形態の手帳１は、これにより、この手帳１の用紙に対する一連のオフセット印刷工程において、そのインデックス部１３となる部分にインデックス表示Ｉｄを印刷し、及び、このインデックス表示Ｉｄを覆うかたちで、安定的に、その保護印刷層３１を形成することが可能になっている。
【００３３】
また、本実施形態の手帳１においては、インデックス表示Ｉｄが印刷されたインデックス部１３の表側紙面１３ａに対し、その全体を覆うかたちで、下地印刷層３２及び保護印刷層３１が形成されている。そして、インデックス部１３の裏側紙面１３ｂ、即ち見開き頁１０（１０Ｘ）の左端に配置される部分の紙面に対しても（図１及び図２参照）、同様に、その全体を覆うかたちで、下地印刷層３２及び保護印刷層３１が形成されている。
【００３４】
尚、本実施形態の手帳１においては、月間予定頁２１及び週間予定頁２２を構成するインデックス付きの各頁１０Ｘの全てについて、そのインデックス部１３に下地印刷層３２及び保護印刷層３１が形成されている。つまりは、階段状にずれた位置に配置される各月先頭頁のインデックス部１３のみならず、その厚み方向に重ねて配置された月毎の各インデックス部１３の全てに下地印刷層３２及び保護印刷層３１が形成されている。また、本実施形態では、これら下地印刷層３２及び保護印刷層３１の一部が、各頁１０のインデックス部１３から本文部分１１に「はみ出す」かたちで設けられている。そして、本実施形態の手帳１は、これにより、各頁１０Ｘのインデックス部１３について、効果的に、その保護を図ることが可能になっている。
【００３５】
（製造方法）
次に、上記のように構成された手帳１の製造方法について説明する。
図４のフローチャートに示すように、本実施形態の手帳１を製造する際には、先ず、その用紙に対する印刷が行われる（ステップ１０１，１０２）。そして、本実施形態の手帳１は、この印刷された用紙（刷本）を加工し、製本することにより製造される（ステップ１０３〜ステップ１１２）。
【００３６】
即ち、その製本工程においては、先ず、印刷された用紙に対する断裁及び折加工が行われる（ステップ１０３）。また、その表紙に対する見返し貼りが行われる（ステップ１０４）。更に、その断裁及び折加工により仕上げられた「折丁」を並べて重ねる丁合が行われるとともに（ステップ１０５）、これら各折丁の「かがり（糸かがり）」が行われる（ステップ１０６）。そして、これにより一つにまとめられた「折丁の束」に対し、その「背固め」及び「表紙貼り」が行われる構成になっている（ステップ１０７及びステップ１０８）。
【００３７】
また、本実施形態においては、この状態において、その製本物としての「天」「地」「前小口」となる三方の辺部を切り落とす断裁加工が行われる（三方断裁、ステップ１０９）。更に、その後、上記のように「前小口」となる部分の切り抜き加工を行いインデックス部１３を形成することにより、そのインデックス付きの各頁１０Ｘを形成する（インデックス抜き、ステップ１１０）。そして、これにより製本物としてのかたちに仕上げられた手帳１に対して、スピン（糸栞）を付与し（ステップ１１１）、その表紙にカバーをかける等の最終仕上げが行われる構成になっている（アッセンブリ、ステップ１１２）。
【００３８】
更に、このような製本工程に先立つ印刷工程においては、二度に分けて、その用紙に対する両面印刷が行われる。そして、本実施形態の手帳１においては、これらの両面印刷一号刷り工程（ステップ１０１）及び両面印刷二号刷り工程（ステップ１０２）の実行により、インデックス表示Ｉｄの印刷に併せて、その各インデックス部１３に対して下地印刷層３２及び保護印刷層３１の形成が行われる構成になっている。
【００３９】
詳述すると、図５に示すように、手帳１の用紙５０に対する印刷工程は、４つの原色（ＢＫ：ブラック、Ｃ：シアン、Ｍ：マゼンダ、Ｙ：イエロー）の重ね合わせによりフルカラー印刷を行う所謂４色刷りのオフセット両面印刷機６０を用いて行われる。そして、本実施形態では、このオフセット両面印刷機６０には、そのオフセット印刷により用紙５０に転写したインキ材料をＬＥＤランプを用いて速やかに乾燥（硬化）させることが可能なＵＶ乾燥装置（硬化装置、図示略）を備えた高感度ＵＶ印刷機としてのＬＥＤ−ＵＶ印刷機６１が用いられている。
【００４０】
さらに詳述すると、両面印刷一号刷り及び両面印刷二号刷り（図４参照、ステップ１０１，１０２）は、それぞれ、その用紙５０に対する裏側印刷（ステップ２０１〜ステップ２０４、ステップ３０１〜ステップ３０４）、表側印刷（ステップ２０５〜ステップ２０８、ステップ３０５〜ステップ３０８）の順に行われる。
【００４１】
本実施形態では、その両面印刷一号刷りにおけるブラック印刷、シアン印刷、及びマゼンダ印刷（ステップ２０１〜ステップ２０３、及びステップ２０５〜ステップ２０７）に対応する各工程において、用紙５０に対し、その手帳１の本文部分１１に対するカレンダー表示やメモ欄の罫線等の印刷が行われる。そして、これに合わせ、その各インデックス部１３に対するインデックス表示Ｉｄの印刷が行われる構成になっている。
【００４２】
また、本実施形態では、両面印刷一号刷りのイエロー印刷に相当する工程（ステップ２０４，２０８）において、その各インデックス部１３に対する下地印刷層３２の形成が行われる。即ち、このイエロー印刷には、上記のように、そのオフセットインキ材料として、透明度の高いメジウムが用いられる。そして、この両面印刷一号刷りに続いて行われる両面印刷二号刷りにおいて、その保護印刷層３１の形成が行われる構成になっている。
【００４３】
具体的には、両面印刷二号刷りのブラック印刷、シアン印刷、マゼンダ印刷、イエロー印刷に対応する各工程（ステップ３０１〜ステップ３０８）において、それぞれ、上記のようなシリコン成分を含有する透明度の高い特殊メジウムが、そのオフセットインキ材料に用いられる。そして、本実施形態では、これにより、その手帳１の各インデックス部１３となる部分（の両面）に対し、それぞれ、積層された４層の保護印刷層３１ａ〜３１ｄが形成される構成になっている。
【００４４】
尚、図３中、インデックス部１３に形成された各印刷層（３１〜３３）の記載は、その概念を模式的に記載するものとなっている。そして、４層に積層された各保護印刷層３１ａ〜３１ｄの重なり状態についてもまた、その図示を省略したものとなっている。
【００４５】
即ち、図６のフローチャートに示すように、本実施形態では、手帳１の各インデックス部１３となる部分に対し、先ず、そのインデックス表示Ｉｄの印刷が行われる（ステップ４０１）。また、このインデックス表示Ｉｄに重ねるかたちで、下地印刷層３２の形成が行われる（ステップ４０２）。そして、この下地印刷層３２に重ねるかたちで、保護印刷層３１の形成が行われる構成になっている（ステップ４０３）。
【００４６】
本実施形態の手帳１は、このようにして、その各インデックス部１３に下地印刷層３２及び保護印刷層３１を形成する。そして、これにより、優れた耐油性、耐水性、及び耐蝕性を有する保護印刷層３１を各インデックス部１３に定着させて、この手帳１が利用される長期間に亘り、安定的に、その高い保護機能を維持することが可能となっている。
【００４７】
次に、本実施形態の作用・効果について説明する。
（１）製本物としての手帳１は、印刷された用紙（刷本）を製本することにより形成される。また、この手帳１は、辺部１２（１２ｒ）にインデックス部１３が設けられたインデックス付きの頁１０Ｘを備える。そして、この手帳１は、そのインデックス部１３を保護するために当該インデックス部１３に形成された保護印刷層３１と、この保護印刷層３１をインデックス部１３に定着させるために保護印刷層３１の下層に形成された下地印刷層３２と、を備える。
【００４８】
即ち、保護機能を有する保護印刷層３１をインデックス部１３に形成することで、このインデックス部１３の耐久性を高めることができる。また、この保護印刷層３１の下層に形成された下地印刷層３２が、その保護印刷層３１をインデックス部１３に定着させることで、手帳１が利用される長期間に亘り、安定的に、その高い保護機能を維持することができる。更に、従来技術にみられるような専用の機械を用いたコーティング工程を廃して、製造工程の簡略化を図ることができる。特に、局所的なコーティング材の塗布及び紫外光の照射を行う周知のスポットＵＶ加工（シルク塗布・ＵＶ乾燥）により保護膜を形成する方法との比較した場合には、大幅な生産効率の向上（例えば、数倍〜数十倍）を図ることができる。例えば、インキ材料の乾燥時間を短縮することにより設備回転数を向上させることができる。更に、局所的なコーティング材の塗布により生ずる用紙５０の波打ちが抑えられることで、その取り扱いが容易になる（例えば、刷本としての折精度が向上する等）。加えて、その作業環境の改善を図ることができる。そして、これにより、その製造を容易なものとすることができるとともに、併せて、環境にやさしい製品を世に送り出すことができる。
【００４９】
（２）下地印刷層３２及び保護印刷層３１が、インデックス部１３の両面、即ち表側紙面１３ａ及び裏側紙面１３ｂの両方に形成されている。これにより、より一層、そのインデックス部１３の保護機能を高めることができる。
【００５０】
（３）下地印刷層３２が、そのインデックス部１３に印刷されたインデックス表示Ｉｄに重ねて形成されている。これにより、その下地印刷層３２をインデックス表示Ｉｄの保護膜として機能させることができる。
【００５１】
（４）保護印刷層３１には、耐水性、耐油性、及び耐蝕性を有したインキ材料が用いられる。即ち、インデックス部１３の保護機能を担保するこれらの特性を強めることで、その保護印刷層３１がインデックス部１３に定着し難くなる。従って、このようなものに上記（１）の構成を適用することで、より顕著な効果を得ることができる。
【００５２】
（５）保護印刷層３１を形成するインキ材料が、シリコン成分を含有するメジウムである。これにより、その保護印刷層３１に、耐水性、耐油性、及び耐蝕性等、優れた保護機能を付与することができる。
【００５３】
（６）手帳１は、そのインデックス部１３に、積層された複数層（４層）の保護印刷層３１（３１ａ〜３１ｄ）を備える。これにより、より高い保護機能を確保することができる。加えて、例えば、その滑り性や触感等、優れた官能特性を付与することができる。
【００５４】
（７）手帳１は、厚み方向に重ねて配置される複数のインデックス部１３を備える。そして、これらの各インデックス部１３の全てに、その下地印刷層３２及び保護印刷層３１が形成されている。これにより、その手帳１全体として、そのインデックス部１３に高い耐久性を確保することができる。
【００５５】
（８）手帳１は、階段状に配置される複数のインデックス部１３を備える。
即ち、このような構成を有する製本物においては、多くの場合、その階段状に配置された各インデックス部１３の表面をなぞるように指を動かすことで、所望の頁１０を探すことになる。従って、このようなものに、上記各構成を適用することで、より顕著な効果を得ることができる。
【００５６】
（９）保護印刷層３１は、オフセット印刷により形成される。そして、下地印刷層３２もまた、その保護印刷層３１の形成に先立って、オフセット印刷により形成される。
上記構成によれば、製造容易に、高い耐久性を有したインデックス付きの頁１０Ｘを備える製本物（手帳１）を製造することができる。更に、印刷装置を変更することなく、連続的に、その下地印刷層３２及び保護印刷層３１の形成を行うことができる。そして、これにより、生産効率の向上を図ることができる。
【００５７】
（１０）インデックス表示Ｉｄの印刷は、下地印刷層３２の形成に先立って、オフセット印刷により行われる。
上記構成によれば、印刷装置を変更することなく、連続的に、そのインデックス表示Ｉｄの印刷、下地印刷層３２及び保護印刷層３１の形成を行うことができる。そして、これにより、更なる生産効率の向上を図ることができる。
【００５８】
（１１）保護印刷層３１は、複数回（４回）のオフセット印刷を重ねて行うことにより形成される。これにより、効率よく、積層された複数層（４層）の保護印刷層３１（３１ａ〜３１ｄ）を形成することができる。
【００５９】
（１２）保護印刷層３１の形成を含め、用紙５０の印刷工程は、高感度ＵＶ印刷機としてのＬＥＤ−ＵＶ印刷機６１を用いて行われる。
上記構成によれば、用紙５０に転写されたインキ材料の乾燥時間を大幅に短縮することができる。更に、用紙５０の波打ちを抑えることができる。そして、これにより、生産効率の向上を図ることができる。
【００６０】
特に、従来技術にみられるようなスポットＵＶ加工（シルク塗布・ＵＶ乾燥）により保護膜を形成する方法と比較した場合には、そのコーティング材の塗布・乾燥により生ずる室温の上昇や環境に与える臭気の影響を大幅に抑制することができる。そして、これにより、作業環境の改善を図ることができる。その結果、環境にやさしい製品を世に送り出すことができる。
【００６１】
なお、上記実施形態は、以下のように変更して実施することができる。上記実施形態及び以下の変更例は、技術的に矛盾しない範囲で互いに組み合わせて実施することができる。
【００６２】
・上記実施形態では、製本物を手帳１に具体化したが、例えば、ダイアリー等、その他の製本物に適用してもよい。
・上記実施形態では、手帳１は、書込み可能な見開き頁１０として、月間予定頁２１及び週間予定頁２２等を備える。そして、これらの各頁１０が、そのインデックス付きの頁１０Ｘとしての構成を有することとした。しかし、これに限らず、書込み可能な見開き頁１０のレイアウトについては、例えば、その見開き頁の左右がそれぞれ、一日分の予定を記載可能なもの、或いは、その全面がメモ欄であるもの等、任意に変更してもよい。
【００６３】
・また、必ずしも全ての頁１０が書き込み可能でなくともよい。また、必ずしも全ての頁１０がインデックス部１３を有したインデックス付きの頁１０でなくともよい。更に、必ずしも書き込み可能な頁１０の全てがインデックス付きの頁１０でなくともよい。そして、必ずしもインデックス付きの頁１０Ｘの全てが書き込み可能でなくともよい。
【００６４】
・上記実施形態では、手帳１は、インデックス付きの各頁１０Ｘが開かれた状態において、その右側の辺部１２ｒとなる位置にインデックス部１３を有する、即ち、左綴じの構成を有することとした。しかし、これに限らず、右綴じの構成に適用してもよい。そして、両開きの製本物に適用してもよい。
【００６５】
・更に、インデックス部１３が、その前小口となる辺部１２（１２ｒ）でなく、製本物としての「天」又は「地」となる位置の辺部に配置された構成であってもよい。そして、これら各辺部の二箇所以上に、そのインデックス部１３が設けられた構成であってもよい。
【００６６】
・上記実施形態では、インデックス部１３の表側紙面１３ａにのみ、そのインデックス表示Ｉｄが印刷されることとしたが、裏側紙面１３ｂにもインデックス表示Ｉｄが印刷される構成でもよい。つまりは、インデックス部１３の両面にインデックス表示Ｉｄがあってもよい。また、インデックス表示Ｉｄは、数字に限らず、その他の文字や絵柄であってもよい。そして、異なる色彩によって、そのインデックス表示Ｉｄとしての識別機能を有するものであってもよい。
【００６７】
・上記実施形態では、インデックス部１３の両面（表側紙面１３ａ及び裏側紙面１３ｂ）に下地印刷層３２及び保護印刷層３１が形成されることとしたが、例えば、表側紙面１３ａのみ等、インデックス部１３の片面に、その下地印刷層３２及び保護印刷層３１が形成される構成であってもよい。
【００６８】
・また、上記実施形態では、インデックス部１３の表側紙面１３ａ及び裏側紙面１３ｂに対し、その全体を覆うかたちで、下地印刷層３２及び保護印刷層３１が形成されることとしたが、例えば、少なくとも非重複部分α、或いはインデックス表示Ｉｄを覆う部分等、部分的に、その下地印刷層３２及び保護印刷層３１が形成される構成であってもよい。
【００６９】
・上記実施形態では、保護印刷層３１を形成するインキ材料には、シリコン成分を含有するメジウムが用いられることとしたが、例えば、ニス等、その他のインキ材料を用いる構成としてもよい。尚、この場合においても、そのインデックス部１３の保護機能を担保することが可能な耐油性、耐水性、及び耐蝕性を有するものであることが望ましい。そして、その透明度についてもまた任意に変更してもよい。
【００７０】
・更に、下地印刷層３２についてもまた、そのインキ材料は、任意に変更してもよい。尚、この場合もまた、インデックス部１３を形成する用紙及び保護印刷層３１を形成する上記特殊メジウムの双方に対して親和性の高い性質を有するものであることが望ましい。そして、その透明度についてもまた、任意に変更してもよい。
【００７１】
・上記実施形態では、４回のオフセット印刷を重ねて行うことにより４層の保護印刷層３１を形成することとしたが、その保護印刷層３１の積層数は任意変更してもよい。そして、その保護印刷層３１が単層である構成であってもよい。
【００７２】
・上記実施形態では、高感度ＵＶ印刷機としてのＬＥＤ−ＵＶ印刷機６１を用いることとしたが、所謂ハイブリッドＵＶ印刷機を用いてもよい。
・上記実施形態では、オフセット両面印刷機６０には、所謂４色刷りのものを用いることとしたが、その型式（色数）は任意に変更してもよい。また、その印刷工程を分割して実行する回数（刷り号数）もまた、任意に変更してもよい。そして、下地印刷層３２の形成及び保護印刷層３１の形成を、その何れの段階から行うかについてもまた、任意に変更してもよい。
【００７３】
次に、上記実施形態及び変更例から把握できる技術的思想について記載する。
（イ）階段状に配置される複数の前記インデックス部を備えること、を特徴とする製本物。
【００７４】
即ち、このような構成を有する製本物においては、多くの場合、その階段状に配置された各インデックス部の表面をなぞるように指を動かすことで、所望の頁を探すことになる。従って、このようなものに、上記各構成を適用することで、より顕著な効果を得ることができる。
【符号の説明】
【００７５】
１…手帳、１０…頁、１０Ｘ…頁（インデックス付き）、１１…本文部分、１２（１２ｒ）…辺部、１３…インデックス部、１３ａ…表側紙面、１３ｂ…裏側紙面、２１…月間予定頁、２２…週間予定頁、３１（３１ａ〜３１ｄ）…保護印刷層、３２…下地印刷層、３３…インデックス表示印刷層、５０…用紙、６０…オフセット両面印刷機、６１…ＬＥＤ−ＵＶ印刷機、Ｉｄ…インデックス表示、α…非重複部分。
【図１】
2019217715.tif 000003
【図２】
2019217715.tif 000004
【図３】
2019217715.tif 000005
【図４】
2019217715.tif 000006
【図５】
2019217715.tif 000007
【図６】
2019217715.tif 000008
【手続補正書】
【提出日】平成31年4月10日(2019.4.10)
【手続補正１】
【補正対象書類名】特許請求の範囲
【補正対象項目名】請求項１
【補正方法】変更
【補正の内容】
【請求項１】
印刷された用紙を製本してなる製本物であって、
辺部にインデックス部が設けられたインデックス付きの頁を備えるとともに、
前記インデックス部を保護するために該インデックス部に形成された保護印刷層と、
前記保護印刷層の下層に形成された下地印刷層と、を備え
前記下地印刷層は、前記保護印刷層を前記インデックス部に定着させる定着層である製本物。
【手続補正書】
【提出日】令和1年10月2日(2019.10.2)
【手続補正１】
【補正対象書類名】特許請求の範囲
【補正対象項目名】全文
【補正方法】変更
【補正の内容】
【特許請求の範囲】
【請求項１】
印刷された用紙を製本してなる製本物であって、
辺部にインデックス部が設けられたインデックス付きの頁を備えるとともに、
前記インデックス部を保護するために該インデックス部に形成された保護印刷層と、
前記保護印刷層の下層に形成された下地印刷層と、を備え
前記下地印刷層は、前記保護印刷層を前記インデックス部に定着させる定着層であり、
前記下地印刷層は、前記インデックス部に印刷されたインデックス表示に重ねて形成されている製本物。
【請求項２】
印刷された用紙を製本してなる製本物であって、
辺部にインデックス部が設けられたインデックス付きの頁を備えるとともに、
前記インデックス部を保護するために該インデックス部に形成された保護印刷層と、
前記保護印刷層の下層に形成された下地印刷層と、を備え
前記下地印刷層は、前記保護印刷層を前記インデックス部に定着させる定着層であり、
前記保護印刷層には、耐水性、耐油性、及び耐蝕性を有したインキ材料が用いられており、
前記保護印刷層を形成する前記インキ材料が、シリコン成分を含有するメジウムである製本物。
【請求項３】
印刷された用紙を製本してなる製本物であって、
辺部にインデックス部が設けられたインデックス付きの頁を備えるとともに、
前記インデックス部を保護するために該インデックス部に形成された保護印刷層と、
前記保護印刷層の下層に形成された下地印刷層と、を備え
前記下地印刷層は、前記保護印刷層を前記インデックス部に定着させる定着層であり、
積層された複数の前記保護印刷層を備える製本物。
【請求項４】
請求項１〜請求項３の何れか一項に記載の製本物において、
前記下地印刷層及び前記保護印刷層が、前記インデックス部の両面に形成されていること、を特徴とする製本物。
【請求項５】
請求項１〜請求項４の何れか一項に記載の製本物において、
厚み方向に重ねて配置される複数の前記インデックス部を備えるとともに、当該各インデックス部の全てに前記下地印刷層及び前記保護印刷層が形成されていること、
を特徴とする製本物。
【請求項６】
印刷された用紙を製本してなるとともに辺部にインデックス部が設けられたインデックス付きの頁を備える製本物の製造方法であって、
前記インデックス部を保護するための保護印刷層を、オフセット印刷により前記インデックス部に形成する工程と、
前記保護印刷層を形成する工程に先立ち、前記インデックス部に前記保護印刷層を定着させるための下地印刷層を、オフセット印刷により前記インデックス部に形成する工程と、を備える製本物の製造方法。
【請求項７】
請求項６に記載の製本物の製造方法において、
前記下地印刷層を形成する工程に先立ち、オフセット印刷により前記インデックス部にインデックス表示を印刷する工程を備えること、を特徴とする製本物の製造方法。
【請求項８】
請求項６又は請求項７に記載の製本物の製造方法において、
前記保護印刷層を形成する工程は、複数回の前記オフセット印刷を重ねて行うものであること、を特徴とする製本物の製造方法。
【請求項９】
請求項６〜請求項８の何れか一項に記載の製本物の製造方法において、
前記保護印刷層を形成する工程が、高感度ＵＶ印刷機を用いて行われること、
を特徴とする製本物の製造方法。